(57)【要約】【課題】送風ユニットの性能の低下を抑えること。【解決手段】実施形態に係る衛生洗浄装置は、送風ユニットと、制御部とを備える。送風ユニットは、外部の空気を吸引する送風ファンと、送風ファンの上流に設けられ送風ファンによって吸引された空気を通過させつつ空気中の塵埃を捕集する集塵フィルタとを有する。制御部は、送風ファンを駆動制御し、送風ファンの回転数を示す電圧値に基づいて集塵フィルタの塵埃詰まりを検知する。【選択図】図３
2019167779.tif 000002
【特許請求の範囲】
【請求項１】
外部の空気を吸引する送風ファンと、前記送風ファンの上流に設けられ該送風ファンによって吸引された空気を通過させつつ該空気中の塵埃を捕集する集塵フィルタとを有する送風ユニットと、
前記送風ファンを駆動制御する制御部と
を備え、
前記制御部は、前記送風ファンの回転数を示す電圧値に基づいて前記集塵フィルタの塵埃詰まりを検知すること
を特徴とする衛生洗浄装置。
【請求項２】
前記送風ユニットを複数備え、
前記複数の送風ユニットは、それぞれ使用頻度が異なり、
前記制御部は、前記複数の送風ユニットのうち使用頻度が最も高い一の送風ユニットの前記集塵フィルタの前記塵埃詰まりの検知に基づいて他の送風ユニットの前記集塵フィルタの塵埃詰まりの程度を検知すること
を特徴とする請求項１に記載の衛生洗浄装置。
【請求項３】
前記複数の送風ユニットは、前記一の送風ユニットとして、トイレルーム内の空気を脱臭する第１の脱臭ユニットを備えること
を特徴とする請求項２に記載の衛生洗浄装置。
【請求項４】
前記複数の送風ユニットは、前記他の送風ユニットとして、便器のボウル部内の空気を脱臭する第２の脱臭ユニットを備えること
を特徴とする請求項３に記載の衛生洗浄装置。
【請求項５】
前記複数の送風ユニットは、前記他の送風ユニットとして、前記送風ファンである結露防止用ファンと、前記集塵フィルタである結露防止用フィルタとを有する結露防止ユニットを備えること
を特徴とする請求項３または４に記載の衛生洗浄装置。
【請求項６】
前記制御部は、前記一の送風ユニットの前記電圧値について前記他の送風ユニットの前記集塵フィルタの塵埃詰まりに対応する閾値を設定し、前記閾値が設定された前記電圧値に基づいて前記他の送風ユニットの前記集塵フィルタの塵埃詰まりの程度を検知すること
を特徴とする請求項２〜５のいずれか一つに記載の衛生洗浄装置。
【請求項７】
前記制御部は、前記送風ユニットにおける前記塵埃詰まりを検知すると該送風ユニットの前記送風ファンの駆動時間を延長すること
を特徴とする請求項１〜６のいずれか一つに記載の衛生洗浄装置。
【請求項８】
報知部をさらに備え、
前記制御部は、前記送風ユニットにおける前記塵埃詰まりを検知すると該塵埃詰まりを検知したタイミングで前記報知部に報知させること
を特徴とする請求項１〜７のいずれか一つに記載の衛生洗浄装置。
【請求項９】
前記複数の送風ユニットにおけるそれぞれの前記集塵フィルタが一体的に形成されること
を特徴とする請求項２〜８のいずれか一つに記載の衛生洗浄装置。
【発明の詳細な説明】
【技術分野】
【０００１】
開示の実施形態は、衛生洗浄装置に関する。
【背景技術】
【０００２】
従来、使用者の局部を洗浄する衛生洗浄装置には、たとえば、使用者のトイレルーム内への入室や便座への着座の検知に基づいて、一定時間送風ファンを駆動してこの衛生洗浄装置（ケーシング）外部の空気、具体的には、便器のボウル部内またはトイレルーム内の空気を吸引して脱臭する脱臭ユニットなどの各種送風ユニットを備えるものがある。
【０００３】
また、送風ユニットは、送風ファンの上流に集塵フィルタが設けられることで、便器のボウル部内やトイレルーム内の空気を吸引した場合に送風ファンに塵埃が付着することを抑制している（たとえば、特許文献１参照）。また、集塵フィルタは、使用者によるメンテナンスが可能な構成であり、捕集した塵埃を定期的に取り除くことが好ましい。
【先行技術文献】
【特許文献】
【０００４】
【特許文献１】特開２００５−３２０７１５号公報
【発明の概要】
【発明が解決しようとする課題】
【０００５】
しかしながら、上記したような衛生洗浄装置では、メンテナンスの期間が空くなどして集塵フィルタに所定量以上の塵埃が詰まる（以下、塵埃詰まりという）ことで、送風ファンが吸引する風量が低下し、送風ファンの風量の低下に伴い各種送風ユニットの各種性能が低下していた。なお、集塵フィルタの塵埃詰まりを監視するために新たなセンサを設置することが考えられるが、センサを設置するスペースやコストの面で問題がある。
【０００６】
実施形態の一態様は、送風ユニットの性能の低下を抑えることができる衛生洗浄装置を提供することを目的とする。
【課題を解決するための手段】
【０００７】
実施形態の一態様に係る衛生洗浄装置は、外部の空気を吸引する送風ファンと、前記送風ファンの上流に設けられ該送風ファンによって吸引された空気を通過させつつ該空気中の塵埃を捕集する集塵フィルタとを有する送風ユニットと、前記送風ファンを駆動制御する制御部とを備え、前記制御部は、前記送風ファンの回転数を示す電圧値に基づいて前記集塵フィルタの塵埃詰まりを検知することを特徴とする。
【０００８】
かかる構成によれば、送風ファンの回転数を示す電圧値に基づいて集塵フィルタの塵埃詰まりを検知することで、送風ファンの性能の低下についていち早く対応することができる。また、送風ファンの回転数を示す電圧値から集塵フィルタの塵埃詰まりがわかるため、集塵フィルタに塵埃詰まりが発生している場合には、たとえば、送風ファンの回転数を上げたり送風ファンの駆動時間を延長したりすることで、送風ファンが吸引する風量の低下による各種送風ユニットの性能の低下を抑えることができる。
【０００９】
また、上記した衛生洗浄装置では、前記送風ユニットを複数備え、前記複数の送風ユニットは、それぞれ使用頻度が異なり、前記制御部は、前記複数の送風ユニットのうち使用頻度が最も高い一の送風ユニットの前記集塵フィルタの前記塵埃詰まりの検知に基づいて他の送風ユニットの前記集塵フィルタの塵埃詰まりの程度を検知することを特徴とする。
【００１０】
かかる構成によれば、使用頻度が異なる送風ユニットを複数備える場合、使用頻度が最も高い一の送風ユニットの集塵フィルタの塵埃詰まりから他の送風ユニットの集塵フィルタの塵埃詰まりの程度を推測することができるため、一の送風ユニットの送風ファンの回転数を示す電圧値のみを測定して他の送風ユニットの送風ファンの回転数を示す電圧値の測定は不要となる。このように、送風ユニットを複数備える場合でも、複数の送風ユニット全ての電圧値を測定する必要がなくなり、効率化を図ることができる。また、センサ類を減らすことができ、構成を簡素化することができる。
【００１１】
また、上記した衛生洗浄装置では、前記複数の送風ユニットは、前記一の送風ユニットとして、トイレルーム内の空気を脱臭する第１の脱臭ユニットを備えることを特徴とする。
【００１２】
かかる構成によれば、第１の脱臭ユニットの集塵フィルタの塵埃詰まりから他の送風ユニットの集塵フィルタの塵埃詰まりの程度を推測することができるため、他の送風ユニットの集塵フィルタの塵埃詰まりを検知するために他の送風ユニットの送風ファンの回転数を示す電圧値を測定する必要がない。これにより、効率化を図ることができる。また、センサ類を減らすことができ、構成を簡素化することができる。
【００１３】
また、上記した衛生洗浄装置では、前記複数の送風ユニットは、前記他の送風ユニットとして、便器のボウル部内の空気を脱臭する第２の脱臭ユニットを備えることを特徴とする。
【００１４】
かかる構成によれば、第１の脱臭ユニットの集塵フィルタの塵埃詰まりから第２の脱臭ユニットの集塵フィルタの塵埃詰まりの程度を推測することができるため、第２の脱臭ユニットの集塵フィルタの塵埃詰まりを検知するために第２の脱臭ユニットの送風ファンの回転数を示す電圧値を測定する必要がない。これにより、効率化を図ることができる。また、センサ類を減らすことができ、構成を簡素化することができる。
【００１５】
また、上記した衛生洗浄装置では、前記複数の送風ユニットは、前記他の送風ユニットとして、前記送風ファンである結露防止用ファンと、前記集塵フィルタである結露防止用フィルタとを有する結露防止ユニットを備えることを特徴とする。
【００１６】
かかる構成によれば、第１の脱臭ユニットの集塵フィルタの塵埃詰まりから結露防止ユニットの結露防止用フィルタの塵埃詰まりの程度を推測することができるため、結露防止ユニットの結露防止用フィルタの塵埃詰まりを検知するために結露防止用ファン駆動の電圧値を測定する必要がない。これにより、効率化を図ることができる。また、センサ類を減らすことができ、構成を簡素化することができる。
【００１７】
また、上記した衛生洗浄装置では、前記制御部は、前記一の送風ユニットの前記電圧値について前記他の送風ユニットの前記集塵フィルタの塵埃詰まりに対応する閾値を設定し、前記閾値が設定された前記電圧値に基づいて前記他の送風ユニットの前記集塵フィルタの塵埃詰まりの程度を検知することを特徴とする。
【００１８】
かかる構成によれば、他の送風ユニットの集塵フィルタの塵埃詰まりを使用頻度が最も高い一の送風ユニットの集塵フィルタの塵埃詰まりの程度に対応させることで、一の送風ユニットの集塵フィルタの塵埃詰まりの程度に基づいて他の送風ユニットの集塵フィルタの塵埃詰まりを検知することができる。この場合、一の送風ユニットの送風ファンの回転数を示す電圧値に対して複数の閾値を設定することも可能である。
【００１９】
また、上記した衛生洗浄装置では、前記制御部は、前記送風ユニットにおける前記塵埃詰まりを検知すると該送風ユニットの前記送風ファンの駆動時間を延長することを特徴とする。
【００２０】
かかる構成によれば、送風ユニットにおける集塵フィルタの塵埃詰まりによる性能の低下を確実に抑えることができる。
【００２１】
また、上記した衛生洗浄装置では、報知部をさらに備え、前記制御部は、前記送風ユニットにおける前記塵埃詰まりを検知すると該塵埃詰まりを検知したタイミングで前記報知部に報知させることを特徴とする。
【００２２】
かかる構成によれば、集塵フィルタの塵埃詰まりを検知したタイミングで報知することで、使用者に集塵フィルタの清掃などのメンテナンスを促すことができ、送風ユニットの性能の低下を抑えることができる。
【００２３】
また、上記した衛生洗浄装置では、前記複数の送風ユニットにおけるそれぞれの前記集塵フィルタが一体的に形成されることを特徴とする。
【００２４】
かかる構成によれば、使用者が集塵フィルタを清掃する場合に全ての集塵フィルタをまとめて清掃することができ、効率化を図ることができる。
【発明の効果】
【００２５】
実施形態の一態様によれば、送風ユニットの性能の低下を抑えることができる。
【図面の簡単な説明】
【００２６】
【図１】図１は、実施形態に係る衛生洗浄装置を備えるトイレ装置およびトイレルームを示す概略斜視図である。
【図２】図２は、実施形態に係る衛生洗浄装置を示す概略斜視図である。
【図３】図３は、実施形態に係る衛生洗浄装置の要部構成を示すブロック図である。
【図４】図４は、ケーシングにおける機能部の配置を示す概略平面図である。
【図５】図５は、ケーシングにおける集塵フィルタの配置を示す概略平面図である。
【図６】図６は、第１の脱臭ユニットおよび第２の脱臭ユニットを示す概略断面図である。
【図７】図７は、第２の脱臭ユニットおよび結露防止ユニットを示す概略断面図である。
【図８】図８は、集塵フィルタの塵埃詰まり検知の処理手順を示すフローチャートである。
【図９】図９は、脱臭性能の低下防止制御の一例の処理手順を示すフローチャートである。
【図１０】図１０は、脱臭性能の低下防止制御の他の例の処理手順を示すフローチャートである。
【図１１】図１１は、集塵フィルタの変形例を示す概略斜視図である。
【発明を実施するための形態】
【００２７】
以下、添付図面を参照して、本願の開示する衛生洗浄装置の実施形態を詳細に説明する。なお、以下に示す実施形態によりこの発明が限定されるものではない。
【００２８】
＜１．トイレ装置＞
まず、図１を参照して実施形態に係る衛生洗浄装置１０を備えるトイレ装置１について説明する。図１は、実施形態に係る衛生洗浄装置１０を備えるトイレ装置１およびトイレルーム１００を示す概略斜視図である。図１には、説明の便宜上、３次元の直交座標系を図示し、かかる直交座標系において、「前方」、「後方」、「左側方」、「右側方」、「上方」および「下方」を規定している。なお、座標系は、他の図においても図示している場合がある。
【００２９】
図１に示すように、トイレ装置１は、トイレルーム１００内に設置される。トイレ装置１は、洋式便器（以下、便器という）２と、衛生洗浄装置１０とを備える。便器２は、たとえば、陶器製である。便器２には、ボウル部２ａが形成される。ボウル部２ａは、下方に凹んだ形状であり、使用者の排泄物を受ける部位である。なお、便器２は、図示のような床置き式に限らず、壁掛け式でもよい。
【００３０】
衛生洗浄装置１０は、便器２の上面後部に取り付けられ、本体部１１と、便座１２と、便蓋１３とを備える。なお、衛生洗浄装置１０は、便器２と一体化するように取り付けられてもよいし、便器２に対して着脱可能に取り付けられてもよい。また、衛生洗浄装置１０は、トイレルーム１００の壁面に設置された操作部５１が使用者により操作されると、たとえば、便蓋１３を開閉したり、後述する機能部の各種機能を動作させる。衛生洗浄装置１０のさらなる構成については、図２および図３を用いて後述する。
【００３１】
なお、トイレ装置１は、たとえば、便器２の後部に洗浄水を貯留する洗浄水タンクが設置されてもよいし、洗浄水タンクが設置されない、いわゆるタンクレス式でもよい。また、トイレ装置１は、たとえば、サイホン作用を利用してボウル部２ａ内の汚物を引き込んでトラップ管路から排出する、いわゆるサイホン式でもよいし、たとえば、ボウル部２ａ内の洗浄水の落差による流水作用で汚物を押し流す、いわゆる洗い落し式でもよい。
【００３２】
＜２．衛生洗浄装置＞
次に、図２および図３を参照して実施形態に係る衛生洗浄装置１０について説明する。図２は、実施形態に係る衛生洗浄装置１０を示す概略斜視図である。図３は、実施形態に係る衛生洗浄装置１０の要部構成を示すブロック図である。上記したように、衛生洗浄装置１０は、本体部１１と、便座１２と、便蓋１３とを備える。
【００３３】
図２に示すように、便座１２および便蓋１３は、それそれの後部が本体部１１に軸支され、本体部１１に対して上下方向に揺動可能に取り付けられる。なお、便蓋１３は、衛生洗浄装置１０に必要に応じて取り付けられ、省略可能である。本体部１１は、ケーシング１４と、ノズルユニット１５とを備える。ケーシング１４は、ケースカバー１４ａと、ケースプレート１４ｂとを備える。ケーシング１４は、ノズルユニット１５を含む水路系、および機能部を内部に収容する。
【００３４】
ノズルユニット１５は、洗浄ノズル１５ａを備える。洗浄ノズル１５ａは、図示しない電動モータなどの駆動源の駆動により、ケーシング１４に対して進退可能である。また、洗浄ノズル１５ａは、図示しない水道管などの水源に接続される。洗浄ノズル１５ａは、ケーシング１４に対して進出している場合に、水源からの水を使用者の身体へ噴出させて局部を洗浄する。
【００３５】
このように、衛生洗浄装置１０は、使用者の局部を洗浄する機能を有する。なお、衛生洗浄装置１０は、局部洗浄機能の他、たとえば、便座１２に座った使用者のおしりなどに温風を吹き付けて乾燥させる乾燥機能や、便座１２の着座面を適温に温める便座暖房機能を有してもよい。
【００３６】
また、衛生洗浄装置１０は、その要部構成として、水路系と、機能部とを備える。図３に示すように、衛生洗浄装置１０は、水路系として、ノズルユニット１５と、洗浄水供給部２０と、ノズル洗浄室２７と、噴霧ノズル２８とを備える。衛生洗浄装置１０は、機能部として、複数の送風ユニット４０を備える。衛生洗浄装置１０は、水路系および機能部の他、人体検知センサ２９と、着座検知センサ３０と、報知部３１と、制御部５０とをさらに備える。
【００３７】
洗浄水供給部２０は、流路開閉弁２１と、熱交換器２２と、電解槽２３と、大気解放式のバキュームブレーカ（ＶＢ）２４と、電磁ポンプ２５と、流調・流路切替弁２６とを備える。流路開閉弁２１は、開閉可能な電磁バルブであり、制御部５０からの指令に基づいて、洗浄水の供給を制御する。流路開閉弁２１は、給水源から供給される洗浄水の給水と止水とを切り替える。
【００３８】
熱交換器２２は、流路開閉弁２１の下流に設けられる。熱交換器２２は、ヒータにより、給水源から供給された洗浄水を加熱して、たとえば、規定の温度まで昇温させる。熱交換器２２は、給水源から供給された洗浄水を、設定された温度の温水に変換する。なお、熱交換器２２は、たとえば、セラミックヒータなどを用いた瞬間加熱式の熱交換器でもよいし、貯湯タンクを用いた貯湯加熱式の熱交換器でもよい。熱交換器２２は、使用者が操作部５１を操作することにより、温水温度が設定される。
【００３９】
電解槽２３は、熱交換器２２の下流に設けられる。電解槽２３は、一対の電極を有し、制御部５０から出力された通電の制御信号に基づいて、電極間に流れる洗浄水（水道水）を電気分解する。電解槽２３は、洗浄水に含まれる塩素イオンを電気分解することにより、次亜塩素酸（ＨＣｌＯ）を含む水（以下、機能水という）を生成する。電解槽２３を通過した洗浄水および電解槽２３において生成された機能水は、電磁ポンプ２５を介して、ノズルユニット１５の洗浄ノズル１５ａに送られる。電磁ポンプ２５は、たとえば、洗浄ノズル１５ａに供給される洗浄水に脈動を与える。
【００４０】
洗浄ノズル１５ａは、噴水部１６を備える。噴水部１６は、たとえば、おしり洗浄噴水孔１６ａ、おしりソフト噴水孔１６ｂおよびビデ洗浄噴水孔１６ｃを備える。また、洗浄ノズル１５ａは、複数の流路ＦＣを備える。洗浄ノズル１５ａは、各流路ＦＣのそれぞれから供給された洗浄水を吐水可能である。
【００４１】
流調・流路切替弁２６は、電磁ポンプ２５と洗浄ノズル１５ａとの間に設けられ、電磁ポンプ２５を介して供給された洗浄水または機能水の行き先を、たとえば、洗浄ノズル１５ａにおける、おしり洗浄、おしりソフト、ビデ洗浄およびワイドビデ洗浄に向けた各流路ＦＣ、ノズル洗浄室２７、噴霧ノズル２８および送風ユニット４０（たとえば、後述する第１の脱臭ユニット６０）のいずれかに切り替える。
【００４２】
ノズル洗浄室２７は、洗浄吐水部２７ａを備える。ノズル洗浄室２７は、洗浄吐水部２７ａから洗浄水または機能水を吐水する。ノズル洗浄室２７は、洗浄ノズル１５ａの外周面の洗浄、いわゆる胴体洗浄を行う。噴霧ノズル２８は、便器２のボウル部２ａ（図１参照）の表面に洗浄水または機能水を噴霧する。
【００４３】
人体検知センサ２９は、たとえば、赤外線信号を用いた焦電センサであり、トイレ装置１（図１参照）が設置されたトイレルーム１００（図１参照）内に入室した使用者などの入室者を検知する。人体検知センサ２９は、検知信号を制御部５０へ出力する。着座検知センサ３０は、たとえば、赤外線投受光式の測距センサであり、使用者が便座１２（図１参照）に着座する直前において便座１２の上方に存在する人体や、便座１２に着座した使用者を検知する。着座検知センサ３０は、着座検知信号を制御部５０へ出力する。
【００４４】
報知部３１は、たとえば、ＬＥＤランプやブザーであり、ケーシング１４（図２参照）に設けられる。なお、報知部３１は、トイレルーム１００の壁面に設けられた後述する操作部５１に設けられてもよい。報知部３１は、送風ユニット４０（たとえば、第１の脱臭ユニット６０）から信号を受けた制御部５０から出力される指令信号が入力される。
【００４５】
ここで、衛生洗浄装置１０の機能部である送風ユニット４０のうち、第１の脱臭ユニット６０は、トイレルーム１００内の空気を吸い込み、吸い込んだ空気に含まれる臭気を吸収または分解する。第１の脱臭ユニット６０は、臭気を吸収または分解した空気を、ケーシング１４の外部へ吐き出す。なお、トイレルーム１００内の空気とは、主として便器２の外部の空気（ボウル部２ａ内以外の空気）をいう。
【００４６】
第１の脱臭ユニット６０は、集塵フィルタ６１と、送風部６２（送風ファン６２１、ファン駆動モータ６２２および回転検知センサ６２３）と、脱臭フィルタ６３と、吐水部６４と、排水部６５と、吸気口６６と、排気口６７とを備える。第１の脱臭ユニット６０においては、トイレルーム１００内の空気が脱臭フィルタ６３の内部を通過することで、空気に含まれるアンモニア（ＮＨ３）やトリメチルアミン（（ＣＨ３）３Ｎ）などの悪臭成分が脱臭フィルタ６３に吸収または分解される。第１の脱臭ユニット６０のさらなる構成については、図６を用いて後述する。
【００４７】
制御部５０は、水路系および機能部の動作を制御する。制御部５０は、たとえば、操作部５１から入力される操作指示に基づいて、上記した各部の動作を制御する。操作部５１は、図１に示すように、トイレルーム１００の壁面に設けられる他、衛生洗浄装置１０の本体部１１（図２参照）に設けられてもよい。操作部５１は、いわゆるリモコンでもよい。制御部５０と操作部５１との間は、有線通信でもよいし、無線通信でもよい。
【００４８】
また、制御部５０は、たとえば、人体検知センサ２９による使用者の入室の検知に基づいて、噴霧ノズル２８から便器２のボウル部２ａの表面に水滴を噴霧する。これにより、ボウル部２ａの表面に汚物が付着するのを抑えることができる。
【００４９】
また、制御部５０は、たとえば、人体検知センサ２９がトイレルーム１００内の使用者を検知しなくなってから所定時間（たとえば、９０秒程度）が経過すると、噴霧ノズル２８からボウル部２ａの表面に向けて機能水を噴霧する。これにより、悪臭のもとになる菌がボウル部２ａ内で増えることを抑制し、便器２から悪臭が放出されるのを抑えることができる。
【００５０】
また、制御部５０は、送風ユニット４０（図３の例では、第１の脱臭ユニット６０）の集塵フィルタ６１に所定量以上の塵埃が詰まる塵埃詰まりが発生した場合に、報知部３１に報知させる。これにより、集塵フィルタ６１の塵埃詰まりによる送風ファン６２１の風量低下による送風ユニット４０（第１の脱臭ユニット６０）の性能（脱臭性能）の低下を抑えることができる。なお、制御部５０による脱臭性能の低下防止制御については、図９および図１０を用いて後述する。
【００５１】
＜３．機能部（送風ユニット）＞
次に、図４および図５を参照して衛生洗浄装置１０の機能部である複数の送風ユニット４０について説明する。図４は、ケーシング１４における機能部（送風ユニット４０）の配置を示す概略平面図である。図５は、ケーシング１４における集塵フィルタ６１，７１，８１の配置を示す概略平断面図である。なお、図４においては、ケースカバー１４ａの右半部を省略し、便器２を想像線（二点鎖線）で示し、図５においては、ケースプレート１４ｂ上の水路系および機能部の一部を省略し、ケースカバー１４ａおよび便器２を想像線（二点鎖線）で示している。
【００５２】
図４に示すように、ケーシング１４のケースプレート１４ｂは、便器２の上面におけるボウル部２ａの後方に取り付けられる。ケースプレート１４ｂは、平面視においてボウル部２ａ後部の内周縁の一部と重なるように配置される。衛生洗浄装置１０は、上記したように、水路系と、機能部とを収容する。水路系は、ケースプレート１４ｂ上の左半部に配置される。機能部は、ケースプレート１４ｂ上の右半部に配置される。
【００５３】
衛生洗浄装置１０は、機能部である複数の送風ユニット４０として、第１の脱臭ユニット６０と、第２の脱臭ユニット７０と、換気ユニットである結露防止ユニット８０とを備える。第１の脱臭ユニット６０は、トイレルーム１００（図１参照）内の空気を吸引して脱臭する。第２の脱臭ユニット７０は、便器２のボウル部２ａ内の空気を吸引して脱臭する。結露防止ユニット８０は、トイレルーム１００内の空気を吸引してケーシング１４の内部に供給し、ケーシング１４の内部を換気して結露の発生を防止する。
【００５４】
複数（３つ）の送風ユニット４０のうち、第１の脱臭ユニット６０および結露防止ユニット８０は、ケースプレート１４ｂ上における右側端部に前後に並んで配置される。第２の脱臭ユニット７０は、第１の脱臭ユニット６０の左方に配置される。すなわち、第１の脱臭ユニット６０および第２の脱臭ユニット７０は、左右方向に並んで配置される。
【００５５】
図５に示すように、ケースプレート１４ｂのプレート面には、第１の脱臭ユニット６０、第２の脱臭ユニット７０および結露防止ユニット８０のそれぞれの集塵フィルタ６１，７１，８１が設けられる。各集塵フィルタ６１，７１，８１は、ケースプレート１４ｂに対して、ケースプレート１４ｂのプレート面に形成された吸気口６６，７４，８３を覆うように取り付けられる。
【００５６】
＜４．第１の脱臭ユニット＞
次に、図３および図６を参照して第１の脱臭ユニット６０について説明する。図６は、第１の脱臭ユニット６０を示す概略断面図であり、図４におけるＩ−Ｉ断面図である。図３および図６に示すように、第１の脱臭ユニット（室内脱臭ユニットともいう）６０は、集塵フィルタ６１と、送風部６２と、脱臭フィルタ６３と、吐水部６４と、排水部６５と、吸気口（以下、第１吸気口という）６６と、排気口６７とを備える。
【００５７】
集塵フィルタ６１は、送風部６２の空気の流れ方向の上流であり、第１吸気口６６と送風部６２との間に設けられる。集塵フィルタ６１は、送風部６２の送風ファン６２１によって吸引された空気を通過させつつ、空気中の塵埃を捕集して送風ファン６２１に塵埃が付着することを抑える。
【００５８】
送風部６２は、送風ファン６２１と、ファン駆動モータ６２２と、回転検知センサ６２３とを備える。送風ファン６２１は、図６中に矢線Ａにて示すように、ケーシング１４（図４参照）外部、すなわち、トイレルーム１００（図１参照）内の空気を吸引する。送風ファン６２１は、たとえば、樹脂製のシロッコファンであり、内部に設けられた複数の羽が回転することで、第１吸気口６６からトイレルーム１００内の空気を吸引し、吸引した空気を排気口６７から再度トイレルーム１００内に吐き出す。なお、送風ファン６２１は、シロッコファンに限定されず、ターボファンなど他の種類のファンでもよい。
【００５９】
ファン駆動モータ６２２は、たとえば、電動モータであり、送風ファン６２１を回転駆動する。送風ファン６２１は、ファン駆動モータ６２２を介して、制御部５０（図３参照）によって駆動制御される。
【００６０】
回転検知センサ６２３は、ファン駆動モータ６２２の回転を検知する。回転検知センサ６２３は、たとえば、ホール素子を用いたホールセンサであり、ファン駆動モータ６２２の回転子に対して非接触で回転を検知する。なお、制御部５０は、回転検知センサ６２３から出力された送風ファン６２１の回転数を示す電圧値に基づいて、後述する送風ファンの風量低下を検知する。
【００６１】
脱臭フィルタ６３は、送風ファン６２１によって吸引された空気が流れる通風路に設けられる。また、脱臭フィルタ６３は、送風ファン６２１と排気口６７との間に設けられる。脱臭フィルタ６３は、たとえば、セラミックスを含む多孔質構造のフィルタである。
【００６２】
吐水部６４は、脱臭フィルタ６３の上方に設けられる。吐水部６４は、たとえば、電磁バルブを備え、制御部５０の制御に基づいて電磁バルブの開弁動作を行い、流調・流路切替弁２６（図３参照）から供給された洗浄水や機能水を上方から脱臭フィルタ６３の上部に向けて吐水（噴霧）する。排水部６５は、脱臭フィルタ６３の下方に設けられ、吐水部６４により供給され脱臭フィルタ６３の下部から排出される洗浄水や機能水を受ける。
【００６３】
第１の脱臭ユニット６０においては、送風ファン６２１が作動すると、第１吸気口６６から吸い込まれたトイレルーム１００内の空気が、脱臭フィルタ６３の内部を通過する。脱臭フィルタ６３が水分を保持した状態で空気が脱臭フィルタ６３の内部を通過すると、空気中の悪臭成分が、脱臭フィルタ６３に保持された水分に取り込まれる。たとえば、空気に含まれるアンモニア（ＮＨ３）は、脱臭フィルタ６３に保持された水分に溶解する。これにより、臭気を低減させることができる。
【００６４】
また、臭気が低減された空気は排気口６７からトイレルーム１００に排出される。このように、第１の脱臭ユニット６０は、トイレルーム１００内に常在する臭気（悪臭成分）を吸収または分解することができる。これにより、使用者は、トイレルーム１００に入室した場合にトイレルーム１００内に常在する臭気を吸う可能性が低くなり、快適にトイレルーム１００を利用することができる。
【００６５】
＜５．第２の脱臭ユニット＞
次に、図６および図７を参照して第２の脱臭ユニット７０について説明する。図７は、第２の脱臭ユニット７０および結露防止ユニット８０を示す概略断面図であり、図４におけるＩＩ−ＩＩ断面図である。図６および図７に示すように、第２の脱臭ユニット（便器脱臭ユニットともいう）７０は、集塵フィルタ７１と、送風部７２と、脱臭フィルタ７３と、吸気口（以下、第２吸気口という）７４とを備える。
【００６６】
集塵フィルタ７１は、送風部７２の空気の流れ方向の上流であり、第２吸気口７４と送風部７２との間に設けられる。集塵フィルタ７１は、送風部７２の送風ファン７２１によって吸引された空気を通過させつつ、空気中の塵埃を捕集して送風ファン７２１に塵埃が付着することを抑える。
【００６７】
送風部７２は、送風ファン７２１と、図示しないファン駆動モータとを備える。送風ファン７２１は、図６および図７中に矢線Ｂにて示すように、ケーシング１４（図４参照）外部、すなわち、便器２のボウル部２ａ（図４参照）内の空気を吸引する。送風ファン７２１は、たとえば、樹脂製のシロッコファンであり、内部に設けられた複数の羽が回転することで、第２吸気口７４からボウル部２ａ内の空気を吸引し、吸引した空気をトイレルーム１００（図１参照）内に吐き出す。なお、送風ファン７２１は、シロッコファンに限定されず、ターボファンなど他の種類のファンでもよい。
【００６８】
ファン駆動モータは、たとえば、第１の脱臭ユニット６０のファン駆動モータ６２２と同様の電動モータであり、送風ファン７２１を回転駆動する。送風ファン７２１は、ファン駆動モータを介して、制御部５０（図３参照）によって駆動制御される。
【００６９】
脱臭フィルタ７３は、送風ファン７２１によって吸引された空気が流れる通風路に設けられる。脱臭フィルタ７３としては、たとえば、活性炭を使った触媒を利用して脱臭する部材を用いることができるが、これに限定されない。
【００７０】
第２の脱臭ユニット７０においては、送風ファン７２１が作動すると、第２吸気口７４から吸い込まれたボウル部２ａ内の空気が、脱臭フィルタ７３の内部を通過する。空気が脱臭フィルタ７３の内部を通過すると、空気中の悪臭成分が吸収または分解され、臭気を低減させることができる。
【００７１】
また、臭気が低減された空気はトイレルーム１００に排出される。このように、第２の脱臭ユニット７０は、便器２のボウル部２ａ内の臭気（悪臭成分）を吸収または分解することができる。これにより、使用者は、トイレルーム１００に入室した場合に臭気を吸う可能性が低くなり、快適にトイレルーム１００を利用することができる。
【００７２】
＜６．結露防止ユニット＞
次に、図７を参照して結露防止ユニット８０について説明する。図７に示すように、結露防止ユニット８０は、集塵フィルタである結露防止用フィルタ８１と、送風部８２と、吸気口（以下、第３吸気口という）８３とを備える。結露防止用フィルタ８１は、送風部８２の空気の流れ方向の上流であり、第３吸気口８３と送風部８２との間に設けられ、空気中の塵埃を捕集する。
【００７３】
送風部８２は、送風ファンである結露防止用ファン８２１を備える。結露防止用ファン８２１は、図７中に矢線Ｃにて示すように、ケーシング１４（図４参照）外部、すなわち、トイレルーム１００（図１参照）内の空気を吸引する。結露防止用ファン８２１としては、たとえば、プロペラファンを用いることができる。なお、結露防止用ファン８２１は、これに限定されず、たとえば、シロッコファンなどその他のファンでもよい。
【００７４】
また、送風部８２は、結露防止用ファン８２１を駆動する図示しないファン駆動モータを備える。送風ファン８２１は、ファン駆動モータを介して、制御部５０（図３参照）によって駆動制御される。
【００７５】
第３吸気口８３は、ケースプレート１４ｂに形成された開口であり、結露防止用ファン８２１によって吸引される空気が流れる。なお、第３吸気口８３は、便器２の上面よりも上方に離れているため、第３吸気口８３の下方にはトイレルーム１００（図１参照）内に連通する隙間が形成される。
【００７６】
ここで、図３に戻り、制御部５０は、複数の送風ユニット４０のうち一の送風ユニットである第１の脱臭ユニット６０の集塵フィルタ６１の塵埃詰まりを検知することで、送風ファン６２１の風量低下を抑制する。
【００７７】
＜７．集塵フィルタの塵埃詰まり検知＞
次に、図３および図８を参照して制御部５０（図３参照）による集塵フィルタ６１の塵埃詰まり検知について説明する。図３に示すように、制御部５０は、第１の脱臭ユニット６０の送風ファン６２１を駆動するファン駆動モータ６２２を制御するとともに、ファン駆動モータ６２２の回転を検知する回転検知センサ６２３から出力される電圧値に基づいて集塵フィルタ６１の塵埃詰まりを検知する。
【００７８】
図８は、集塵フィルタ６１の塵埃詰まり検知の処理手順を示すフローチャートである。制御部５０は、図８に示すように、第１の脱臭ユニット６０の回転検知センサ６２３から出力される電圧値の上昇を検知すると（ステップＳ１０１：Ｙｅｓ）、第１の脱臭ユニット６０の送風ファン６２１の回転数の上昇として検知する（ステップＳ１０２）。
【００７９】
次いで、制御部５０は、第１の脱臭ユニット６０の送風ファン６２１の回転数の上昇を検知すると、これを集塵フィルタ６１の塵埃詰まりとして検知する（ステップＳ１０３）。なお、制御部５０は、第１の脱臭ユニット６０の回転検知センサ６２３から出力される電圧値の上昇を検知しない場合には（ステップＳ１０１：Ｎｏ）、電圧値の上昇を検知するまでステップＳ１０１の処理を繰り返す。
【００８０】
このように、制御部５０は、第１の脱臭ユニット６０の送風ファン６２１の回転数を示す電圧値に基づいて集塵フィルタ６１の塵埃詰まりを検知する。
【００８１】
また、送風ユニット４０である、第１の脱臭ユニット６０、第２の脱臭ユニット７０および結露防止ユニット８０は、それぞれ使用頻度（すなわち、駆動時間）が異なる。これらの送風ユニット４０のうち使用頻度が最も高い一の送風ユニット４０は、トイレルーム１００（図１参照）内の空気を脱臭する第１の脱臭ユニット６０である。
【００８２】
また、第１の脱臭ユニット６０よりも使用頻度が低い他の送風ユニット４０として、第２の脱臭ユニット７０および結露防止ユニット８０がある。さらに、第２の脱臭ユニット７０および結露防止ユニット８０は、それぞれ使用頻度が異なる。なお、本実施形態では、使用頻度が最も高い一の送風ユニット４０として第１の脱臭ユニット６０、使用頻度が低い他の送風ユニット４０として第２の脱臭ユニット７０および結露防止ユニット８０としているが、たとえば、他の送風ユニット４０を、第２の脱臭ユニット７０および結露防止ユニット８０のいずれか一方としてもよい。
【００８３】
制御部５０は、使用頻度が最も高い第１の脱臭ユニット６０の塵埃詰まりを検知すると、第１の脱臭ユニット６０の塵埃詰まり検知に基づいて、他の送風ユニット４０である第２の脱臭ユニット７０の集塵フィルタ７１および結露防止ユニット８０の集塵フィルタである結露防止用フィルタ８１の少なくともいずれか一方の塵埃詰まりを検知する。
【００８４】
この場合、第１の脱臭ユニット６０の回転検知センサ６２３から出力される電圧値に閾値が設定される。回転検知センサ６２３から出力される電圧値に設定される閾値は、第２の脱臭ユニット７０の集塵フィルタ７１や結露防止ユニット８０の結露防止用フィルタ８１の塵埃詰まりに対応する。
【００８５】
制御部５０は、第１の脱臭ユニット６０の集塵フィルタ６１がどの程度詰まれば第２の脱臭ユニット７０の集塵フィルタ７１や結露防止ユニット８０の結露防止用フィルタ８１の塵埃詰まりが発生するかを予め記憶し、第１の脱臭ユニット６０の集塵フィルタ６１が記憶した塵埃詰まりの程度に到達した場合に、他の集塵フィルタ７１，８１の塵埃詰まりの程度を検知する。
【００８６】
図３に示すように、制御部５０は、第１の脱臭ユニット６０の集塵フィルタ６１の塵埃詰まりを検知すると、送風ファン６２１の駆動時間を延長するようにファン駆動モータ６２２を制御する。また、制御部５０は、第１の脱臭ユニット６０の集塵フィルタ６１の塵埃詰まりを検知すると、これを報知するように報知部３１を制御する。この場合、制御部５０は、塵埃詰まりを検知したタイミングで報知部３１に向けて指令信号を出力する。
【００８７】
＜８．脱臭性能の低下防止制御＞
次に、図９および図１０を参照して制御部５０による脱臭性能の低下防止制御について説明する。図９は、脱臭性能の低下防止制御の一例の処理手順を示すフローチャートである。上記したように、制御部５０は、第１の脱臭ユニット６０の集塵フィルタ６１の塵埃詰まりを検知すると、送風ファン６２１の風量低下を防止するために送風ファン６２１の駆動時間を延長することで、脱臭時間を延長する。
【００８８】
図９に示すように、制御部５０は、回転検知センサ６２３から出力された電圧値に基づいて第１の脱臭ユニット６０の送風ファン６２１の回転数の上昇を検知すると（ステップＳ２０１）、送風ファン６２１の風量低下と判断して集塵フィルタ６１の塵埃詰まりを検知する。制御部５０は、集塵フィルタ６１の塵埃詰まりを検知すると、送風ファン６２１の駆動時間を延長して第１の脱臭ユニット６０による脱臭時間を延長する（ステップＳ２０２）。
【００８９】
次いで、制御部５０は、塵埃詰まりを検知したタイミングで脱臭時間を延長するとともに、報知部３１に指令信号を出力する。報知部３１は、制御部５０からの指令信号に基づいて、たとえば、ＬＥＤランプの点灯やブザー音などで塵埃詰まりを報知する（ステップＳ２０３）。なお、制御部５０は、塵埃詰まりを検知してから送風ファン６２１を一定時間駆動した後に報知部３１に報知させてもよい。
【００９０】
また、図１０は、脱臭性能の低下防止制御の他の例の処理手順を示すフローチャートである。図１０に示す脱臭性能の低下防止制御では、第１の脱臭ユニット６０における回転検知センサ６２３から出力される電圧値に閾値が設定され、閾値が設定された電圧値に基づいて第２の脱臭ユニット７０の塵埃詰まりを検知する。なお、第２の脱臭ユニット７０の他、結露防止ユニット８０における塵埃詰まりを検知することも可能である。
【００９１】
図１０に示すように、制御部５０は、回転検知センサ６２３から出力された電圧値に基づいて第１の脱臭ユニット６０の送風ファン６２１の回転数の上昇を検知すると（ステップＳ３０１）、送風ファン６２１の風量低下と判断して集塵フィルタ６１の塵埃詰まりを検知する。
【００９２】
次いで、制御部５０は、回転検知センサ６２３から出力された電圧値が設定された閾値以上か否かを判定する（ステップＳ３０２）。電圧値が閾値以上である場合（ステップＳ３０２：Ｙｅｓ）、第２の脱臭ユニット７０の脱臭時間を延長する（ステップＳ３０３）。
【００９３】
次いで、制御部５０は、塵埃詰まりを検知したタイミングで第２の脱臭ユニット７０の脱臭時間を延長するとともに、報知部３１に指令信号を出力する。報知部３１は、制御部５０からの指令信号に基づいて、たとえば、ＬＥＤランプの点灯やブザー音などで第２の脱臭ユニット７０の塵埃詰まりを報知する（ステップＳ３０４）。なお、制御部５０は、塵埃詰まりを検知してから送風ファン７２１を一定時間駆動した後に報知部３１に報知させてもよい。
【００９４】
制御部５０は、ステップＳ３０２の処理において電圧値が閾値以上でない場合（ステップＳ３０２：Ｎｏ）、第１の脱臭ユニット６０の脱臭時間を延長する（ステップＳ３０５）。
【００９５】
次いで、制御部５０は、塵埃詰まりを検知したタイミングで第１の脱臭ユニット６０の脱臭時間を延長するとともに、報知部３１に指令信号を出力する。報知部３１は、制御部５０からの指令信号に基づいて、たとえば、ＬＥＤランプの点灯やブザー音などで第２の脱臭ユニット７０の塵埃詰まりを報知する（ステップＳ３０６）。なお、制御部５０は、塵埃詰まりを検知してから送風ファン６２１を一定時間駆動した後に報知部３１に報知させてもよい。
【００９６】
以上説明したように、実施形態に係る衛生洗浄装置によれば、送風ファン６２１の回転数を示す電圧値に基づいて集塵フィルタ６１の塵埃詰まりを検知することで、送風ファン６２１の性能の低下についていち早く対応することができる。ここで、集塵フィルタ６１において塵埃詰まりが発生している場合、空気の圧損によって送風ファン６２１が空回り状態となり、送風ファン６２１の回転数が上がり、送風ファン６２１の回転数が上がると、送風ファン６２１の回転数を示す電圧値が上がるかまたは電圧値変化の頻度が上がり、塵埃詰まりを推測することができる。
【００９７】
このように、送風ファン６２１の回転数を示す電圧値から集塵フィルタ６１の塵埃詰まりがわかるため、集塵フィルタ６１に塵埃詰まりが発生している場合には、たとえば、送風ファン６２１の回転数を上げたり送風ファン６２１の駆動時間を延長したりすることで、送風ファン６２１が吸引する風量の低下による脱臭性能の低下を抑えることができる。
【００９８】
また、使用頻度が最も高い第１の脱臭ユニット６０の集塵フィルタ６１の塵埃詰まりから第２の脱臭ユニット７０や結露防止ユニット８０の各集塵フィルタ７１，８１の塵埃詰まりの程度を推測することができるため、第１の脱臭ユニット６０の送風ファン６２１の回転数を示す電圧値のみを測定して第２の脱臭ユニット７０や結露防止ユニット８０の送風ファン７２１，８２１の回転数を示す電圧値の測定は不要となる。このように、第１の脱臭ユニット６０、第２の脱臭ユニット７０および結露防止ユニット８０を備える場合、全ての電圧値を測定する必要がなくなり、効率化を図ることができる。また、センサ類を減らすことができ、構成を簡素化することができる。
【００９９】
また、第２の脱臭ユニット７０や結露防止ユニット８０の各集塵フィルタ７１，８１の塵埃詰まりを使用頻度が最も高い第１の脱臭ユニット６０の集塵フィルタ６１の塵埃詰まりの程度に対応させることで、第１の脱臭ユニット６０の集塵フィルタ６１の塵埃詰まりの程度に基づいて第２の脱臭ユニット７０や結露防止ユニット８０の各集塵フィルタ７１，８１の塵埃詰まりを検知することができる。
【０１００】
また、塵埃詰まりを検知した場合に送風ファン６２１（７２１，８２１）の駆動時間、すなわち、脱臭時間を延長することで、塵埃詰まりによる各種性能の低下を確実に抑えることができる。
【０１０１】
また、塵埃詰まりを検知したタイミングで報知部３１により報知することで、使用者に集塵フィルタ６１（７１，８１）の清掃などのメンテナンスを促すことができ、各種性能の低下を抑えることができる。
【０１０２】
なお、上記した実施形態では、回転検知センサ６２３から出力される電圧値に基づいて集塵フィルタ６１の塵埃詰まりを検知しているが、たとえば、送風ファン６２１を駆動するファン駆動モータ６２２の駆動用の電流値から塵埃詰まりを検知することも可能である。なお、この場合、送風ファン６２１の回転数が上がると電流値は下がる。この他、送風ファン６２１の回転数を直接カウントして塵埃詰まりを検知することも可能である。
【０１０３】
＜９．集塵フィルタの変形例＞
図１１は、集塵フィルタの変形例（集塵フィルタ９１）を示す概略斜視図である。図１１に示すように、変形例に係る集塵フィルタ９１は、上記した第１の脱臭ユニット６０の集塵フィルタ６１、第２の脱臭ユニット７０の集塵フィルタ７１および結露防止ユニット８０の集塵フィルタ（結露防止用フィルタ）８１がフィルタプレート９２により一体的に形成されたものである。
【０１０４】
このような構成によれば、使用者が、第１の脱臭ユニット６０、第２の脱臭ユニット７０および結露防止ユニット８０の各集塵フィルタ６１，７１，８１を清掃する場合に全ての集塵フィルタ６１，７１，８１をまとめて清掃することができ、効率化を図ることができる。
【０１０５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１０６】
２    便器
２ａ  ボウル部
１０    衛生洗浄装置
４０    送風ユニット
３１    報知部
５０    制御部
６０    第１の脱臭ユニット
６１    集塵フィルタ
６２１    送風ファン
７０    第２の脱臭ユニット
７１    集塵フィルタ
７２１    送風ファン
８０    結露防止ユニット
８１    結露防止用フィルタ
８２１    結露防止用ファン
９１    集塵フィルタ
１００    トイレルーム
【図１】
2019167779.tif 000003
【図２】
2019167779.tif 000004
【図３】
2019167779.tif 000005
【図４】
2019167779.tif 000006
【図５】
2019167779.tif 000007
【図６】
2019167779.tif 000008
【図７】
2019167779.tif 000009
【図８】
2019167779.tif 000010
【図９】
2019167779.tif 000011
【図１０】
2019167779.tif 000012
【図１１】
2019167779.tif 000013